【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
組成物であって、
（ａ）潤滑粘性のオイル、および
（ｂ）以下：
（ｉ）環状イミドが形成されるように位置している少なくとも２つのカルボキシル基を有し、前記環状構造内に５個または６個の原子を有する芳香族ポリカルボン酸またはその混合物またはその反応性等価物であって、前記芳香族ポリカルボン酸またはその反応性等価物は、少なくとも１つのコハク酸基またはその反応性等価物によって置換された芳香環を含む、芳香族ポリカルボン酸またはその混合物またはその反応性等価物と、
（ｉｉ）約６〜約８０個の炭素原子を含有する脂肪族第１級アミンとの縮合生成物の約０．０００１〜約１０重量パーセントであって、前記縮合生成物は、イミドまたはアミドを含む、縮合生成物
を含む、組成物。
【請求項２】
前記脂肪族第１級アミンが、１２〜６０個の炭素原子を含有し、第２級もしくは第３級アミノ基またはエーテル基をさらに含有する第１級アミンを含む、請求項１に記載の組成物。
【請求項３】
前記縮合生成物が環状イミドを含む、請求項１〜２のいずれか１項に記載の組成物。
【請求項４】
前記芳香族ポリカルボン酸またはその反応性等価物が、少なくとも２つの芳香族炭素原子上に少なくとも２つのカルボン酸基またはその反応性等価物を有する芳香族基を含む、請求項１〜３のいずれか１項に記載の組成物。
【請求項５】
前記芳香族ポリカルボン酸またはその反応性等価物が、隣接炭素原子上に少なくとも２つのカルボン酸基またはその反応性等価物を有するベンゼン環を含む、請求項４に記載の組成物。
【請求項６】
前記芳香族ポリカルボン酸またはその反応性等価物が、ナフタレン構造であって、前記ナフタレン構造の１位および８位に配置された２つのカルボン酸基またはその反応性等価物を有するナフタレン構造を含む、請求項４に記載の組成物。
【請求項７】
前記縮合生成物がジイミドを含む、請求項１〜５のいずれか１項に記載の組成物。
【請求項８】
前記縮合生成物がピロメリット酸ジイミドを含む、請求項１〜３、４、５、または７のいずれか１項に記載の組成物。
【請求項９】
前記脂肪族第１級アミンが、式：
Ｈ２Ｎ−（ＣｎＨ２ｎ）−Ｘ−Ｒ１
式中、ｎは２〜６であり、
ＸはＯまたはＮ−Ｒ２であり、
Ｒ１は、少なくとも８個の炭素原子のアルキル基であり、
Ｒ２はＨまたはアルキル基である；
によって示される、請求項１〜８のいずれか１項に記載の組成物。
【請求項１０】
前記脂肪族第１級アミンがＮ，Ｎ−ジアルキル−１，３−プロパンジアミンを含む、請求項１〜９のいずれか１項に記載の組成物。
【請求項１１】
前記Ｎ，Ｎ−ジアルキル−１，３−プロパンジアミンが、Ｎ，Ｎ−ジ−（水素化タロー）−１，３−プロパンジアミン、Ｎ，Ｎ−ジココ−１，３−プロパンジアミン、またはＮ，Ｎ−ジイソステアリル−１，３−プロパンジアミンを含む、請求項１０に記載の組成物。
【請求項１２】
前記縮合生成物が、
【化１２】
2014517106.tif 000001
式中、Ｒ１およびＲ３のそれぞれは、独立して、８〜２２個の炭素原子のアルキル基であり、Ｒ２およびＲ４のそれぞれは、独立して、水素または１〜２２個の炭素原子のアルキル基であり、但し、Ｒ１およびＲ２中の総炭素原子数が少なくとも１３であり、Ｒ３およびＲ４中の総炭素原子数が少なくとも１３であることを条件とする；
によって示される材料を含む、請求項１〜３、４、５、または７〜１１のいずれか１項に記載の組成物。
【請求項１３】
Ｒ１、Ｒ２、Ｒ３、およびＲ４が、タローアミン、ココアミン、またはイソステアリルアミンの特徴を示すアルキル基である、請求項１２に記載の組成物。
【請求項１４】
有機ホウ酸エステル、有機ホウ酸塩、有機リンのエステル、有機リンの塩、無機リンの塩、および無機リンの酸からなる群から選択される少なくとも１つの添加剤をさらに含む、請求項１〜１２のいずれかに記載の組成物。
【請求項１５】
機械的デバイスを潤滑する方法であって、請求項１〜１４のいずれか１項に記載の組成物を前記デバイスに供給することを含む、方法。
【手続補正２】
【補正対象書類名】明細書
【補正対象項目名】００１６
【補正方法】変更
【補正の内容】
【００１６】
本開示技術は、任意の上記組成物を供給することを含む、機械的デバイスを潤滑する方法をさらに提供する。一定の実施形態では、機械的デバイスは自動変速機を含む。一定の実施形態では、組成物は、自動変速機を潤滑する場合に有用な摩擦特性を付与する。
一実施形態において、たとえば、以下の項目が提供される。
（項目１）
組成物であって、
（ａ）潤滑粘性のオイル、および
（ｂ）以下：
（ｉ）環状イミドが形成されるように位置している少なくとも２つのカルボキシル基を有し、前記環状構造内に５個または６個の原子を有する芳香族ポリカルボン酸またはその混合物またはその反応性等価物と、
（ｉｉ）約６〜約８０個の炭素原子を含有する脂肪族第１級アミンまたはアルコールとの縮合生成物
を含む、組成物。
（項目２）
前記脂肪族第１級アミンまたはアルコールが、約１２〜約６０個の炭素原子を含有し、第２級もしくは第３級アミノ基またはエーテル基をさらに含有する第１級アミンを含む、項目１に記載の組成物。
（項目３）
前記縮合生成物がエステル、アミド、イミド、またはイミダゾリンを含む、項目１に記載の組成物。
（項目４）
前記縮合生成物が環状イミドを含む、項目１〜３のいずれか１項に記載の組成物。
（項目５）
前記芳香族ポリカルボン酸またはその反応性等価物が、少なくとも１つのコハク酸基またはその反応性等価物によって置換された芳香環を含む、項目１〜４のいずれか１項に記載の組成物。
（項目６）
前記芳香族ポリカルボン酸またはその反応性等価物が、少なくとも２つの芳香族炭素原子上に少なくとも２つのカルボン酸基またはその反応性等価物を有する芳香族基を含む、項目１〜４のいずれか１項に記載の組成物。
（項目７）
前記芳香族ポリカルボン酸またはその反応性等価物が、隣接炭素原子上に少なくとも２つのカルボン酸基またはその反応性等価物を有するベンゼン環を含む、項目６に記載の組成物。
（項目８）
前記芳香族ポリカルボン酸またはその反応性等価物が、ナフタレン構造であって、前記ナフタレン構造の１位および８位に配置された２つのカルボン酸基またはその反応性等価物を有するナフタレン構造を含む、項目６に記載の組成物。
（項目９）
前記縮合生成物がジイミドを含む、項目１〜８のいずれか１項に記載の組成物。
（項目１０）
前記縮合生成物がピロメリット酸ジイミドを含む、項目１〜４、６、７、または９のいずれか１項に記載の組成物。
（項目１１）
前記脂肪族第１級アミンが、式：
Ｈ２Ｎ−（ＣｎＨ２ｎ）−Ｘ−Ｒ１
式中、ｎは２〜約６であり、
ＸはＯまたはＮ−Ｒ２であり、
Ｒ１は、少なくとも約８個の炭素原子のアルキル基であり、
Ｒ２はＨまたはアルキル基である；
によって示される、項目１〜１０のいずれか１項に記載の組成物。
（項目１２）
前記脂肪族第１級アミンがＮ，Ｎ−ジアルキル−１，３−プロパンジアミンを含む、項目１〜１１のいずれか１項に記載の組成物。
（項目１３）
前記Ｎ，Ｎ−ジアルキル−１，３−プロパンジアミンが、Ｎ，Ｎ−ジ−（水素化タロー）−１，３−プロパンジアミン、Ｎ，Ｎ−ジココ−１，３−プロパンジアミン、またはＮ，Ｎ−ジイソステアリル−１，３−プロパンジアミンを含む、項目１２に記載の組成物。
（項目１４）
前記縮合生成物が、
【化１２】
2014517106.tif 000002
式中、Ｒ１およびＲ３のそれぞれは、独立して、約８〜約２２個の炭素原子のアルキル基であり、Ｒ２およびＲ４のそれぞれは、独立して、水素または１〜約２２個の炭素原子のアルキル基であり、但し、Ｒ１およびＲ２中の総炭素原子数が少なくとも約１３であり、Ｒ３およびＲ４中の総炭素原子数が少なくとも約１３であることを条件とする；
によって示される材料を含む、項目１〜４、６、７、または９〜１３のいずれか１項に記載の組成物。
（項目１５）
Ｒ１、Ｒ２、Ｒ３、およびＲ４が、タローアミン、ココアミン、またはイソステアリルアミンの特徴を示すアルキル基である、項目１４に記載の組成物。
（項目１６）
前記縮合生成物の量が約０．０００１〜約１０重量％である、項目１〜１５のいずれか１項に記載の組成物。
（項目１７）
分散剤、粘度調整剤、補助的摩擦調整剤、清浄剤、酸化防止剤、シール膨潤剤、および摩耗防止剤からなる群から選択される少なくとも１つのさらなる添加剤をさらに含む、項目１〜１６のいずれか１項に記載の組成物。
（項目１８）
有機ホウ酸エステル、有機ホウ酸塩、有機リンのエステル、有機リンの塩、無機リンの塩、および無機リンの酸からなる群から選択される少なくとも１つの添加剤をさらに含む、項目１〜１６のいずれかに記載の組成物。
（項目１９）
機械的デバイスを潤滑する方法であって、項目１〜１８のいずれか１項に記載の組成物を前記デバイスに供給することを含む、方法。
（項目２０）
前記機械的デバイスが変速機を含む、項目１９に記載の方法。
（項目２１）
前記機械的デバイスが自動変速機を含む、項目１９または２０に記載の方法。
（項目２２）
前記機械的デバイスが内燃機関を含む、項目１９に記載の方法。